(57)【要約】  活性化部分トロンボプラスチン時間の再検査が簡単かつ迅速にできる検査方法を提供する。  活性化部分トロンボプラスチン時間を計測すべく検体に対して０．０２０ｍｏｌ／Ｌのカルシウムイオン供与体を含む水溶液を添加し、そのときの凝固時間が基準値を超えて異常値を示した検体、特に高ヘマトクリット血症検体について行い、内因系の血液凝固異常があるかどうかを診断するための検査方法において、予めクエン酸ナトリウム水溶液が内部に入れてある真空採血管を用いて、クエン酸ナトリウム水溶液と血液が１：９の割合となるよう採血したもので血漿成分を含む検体を作り、当該検体に対して０．０３０ｍｏｌ／Ｌ以上〜０．０４０ｍｏｌ／Ｌ以下のカルシウムイオン供与体を含む水溶液を添加して凝固時間を測定する。【特許請求の範囲】
【請求項１】
活性化部分トロンボプラスチン時間を計測すべく検体に対して０．０２０ｍｏｌ／Ｌのカルシウムイオン供与体を含む水溶液を添加し、そのときの凝固時間が基準値を超えて異常値を示した検体、特に高ヘマトクリット血症検体について行い、内因系の血液凝固異常があるかどうかを診断するための検査方法において、
予めクエン酸ナトリウム水溶液が内部に入れてある真空採血管を用いて、クエン酸ナトリウム水溶液と血液が１：９の割合となるよう採血したもので血漿成分を含む検体を作り、当該検体に対して０．０３０ｍｏｌ／Ｌ以上〜０．０４０ｍｏｌ／Ｌ以下のカルシウムイオン供与体を含む水溶液を添加して凝固時間を測定することを特徴とする、
活性化部分トロンボプラスチン時間の検査方法。
【発明の詳細な説明】
【技術分野】
【０００１】
本発明は、活性化部分トロンボプラスチン時間（activated partial thromboplastin time（以下、単に「ＡＰＴＴ」と記載することがある））の検査方法に関する。
更に詳しくは、ＡＰＴＴの再検査が簡単かつ迅速にできるようにしたものに関する。
また、ＡＰＴＴの再検査にあたっての採血を不要にし、患者の精神的、肉体的負担が軽減できるようにしたものに関する。
更に、ＡＰＴＴの再検査も含めて、予め所定量のクエン酸ナトリウム水溶液が入れてある真空採血管を使うことができるようにしたものに関する。
【背景技術】
【０００２】
出血傾向の診断にあたっては、凝固因子の異常を判定するスクリーニング検査が行われる。血液の凝固には外因系と内因系があり、このうち内因系の凝固因子を評価するものとして活性化部分トロンボプラスチン時間（ＡＰＴＴ）がある。ＡＰＴＴは、血友病やフォンビルブラント病をはじめとする内因系血液凝固異常を発見する検査方法として広く用いられている。【０００３】
ＡＰＴＴは、予め抗凝固剤であるクエン酸ナトリウム水溶液が内部に入れてある真空採血管を用いて、前記クエン酸ナトリウム水溶液と血液が１：９の割合となるよう採血し、これを遠心分離器にかけて血漿成分を含む検体を抽出する。そして、この検体にＡＰＴＴ試薬（ＤＡＤＥ  ＢＥＨＲＩＮＧ社製：データファイ・ＡＰＴＴ（アクチン）ウサギ脳由来セファリン等）を加えて略３７℃になるよう温め、ＡＰＴＴ試薬を加えた検体に対して同程度に温めておいた０．０２０ｍｏｌ／Ｌの塩化カルシウムを含む水溶液（溶媒１Ｌに対して０．０２０ｍｏｌの塩化カルシウムが含まれている）を添加したときの凝固時間（ＡＰＴＴ値）が測定される。ＡＰＴＴ値の基準値は、おおよそ２３．９秒〜４１．２秒内とされており、検体の凝固がこの値より長くかかると内因系の凝固因子異常が疑われる。【０００４】
ところで脳梗塞の危険因子として広く認識されている事項として高ヘマトクリット血症（いわゆるドロドロ血）がある。高ヘマトクリット血症は、血液の中に赤血球が過剰に存在する状態で、相対的に血漿の割合が低くなっている状態である。上記したようなクエン酸ナトリウム水溶液による血液の抗凝固作用は、血漿中のカルシウムイオンがクエン酸のキレート結合に取り込まれて奪われることにより起こる。【０００５】
従って、高ヘマトクリット血症の患者がＡＰＴＴの検査を受けた場合では、健常者よりも血液中の血漿の割合が低いため、検体中に反応しきれなかったクエン酸ナトリウム水溶液が余った状態で残る。そのためこの検体に上記した塩化カルシウムを含む水溶液を添加した場合では、余ったクエン酸ナトリウム水溶液と塩化カルシウム中のカルシウムイオンが反応してしまい、その結果、凝固が遅れ、凝固時間が基準値を超えて異常値を示すことがあった。つまり、高ヘマトクリット血症の患者も、血友病やフォンビルブラント病の疑いがあると診断されることがあり、ＡＰＴＴの再検査の対象となっていた。【０００６】
ＡＰＴＴの再検査は、患者の血液の状態に合わせて、抗凝固剤として反応させるクエン酸ナトリウム水溶液の量が調整された状態で行われる。具体的には、患者の血液毎に予め計算により導き出した量のクエン酸ナトリウム水溶液をピペットで採血管に入れ、この採血管内に規定量の採血した血液を入れることで検体を作り、この検体に０．０２０ｍｏｌ／Ｌの塩化カルシウムを含む水溶液をあらためて添加して実施される（例えば、ＮＣＣＬＳ（National Committee for Clinical Laboratory Standards）の標準法）。【０００７】
この検体によるＡＰＴＴの値によって、血友病やフォンビルブラント病であるかどうかが診断される。なお、血漿の量に合わせてクエン酸ナトリウム水溶液の量が調整されたことにより、高ヘマトクリット血症の検体は再検査によって基準値が示されて異常なしと診断される。
【発明の開示】
【発明が解決しようとする課題】
【０００８】
しかし、上記したＡＰＴＴの再検査方法には、次のような課題があった。
まず、患者の血液の状態に合わせたクエン酸ナトリウム水溶液の量を計算によって導く必要がある。従って、そのための採血が再度必要であった。つまり、ＡＰＴＴの再検査にあたっては、少なくとも二回以上の採血が必要とされるので、患者に精神的、肉体的負担を与えていた。【０００９】
また、検査自体についても再び採血したり、血液の状態に合わせたクエン酸ナトリウム水溶液の量を計算したりといった作業を要するので手間及び時間がかかっていた。【００１０】
更には、抗凝固剤として使用されるクエン酸ナトリウム水溶液はμＬ（マイクロリットル）単位で調整されるので、検査者には、その導き出した量を採血管に正確に入れるピペッティング操作の高度な技量が要求されていた。【００１１】
なお、採血にあたっては、ウイルスや異物の混入の心配がない等、衛生面や取り扱い易さから近年では真空採血管が一般的に使用されている。しかし、真空採血管は密閉されているので、内部に入れてあるクエン酸ナトリウム水溶液の量の調整ができない。従って、このような再検査の場合では使うことができなかった。そのためＡＰＴＴの再検査では、通常の採血管を使用しなければならず、上記したような衛生面で問題があった。【００１２】
本発明の目的は、ＡＰＴＴの凝固時間が基準値を超えて異常値を示した検体に対して行い、内因系血液凝固異常があるかどうかを診断するための検査方法において、計算によってクエン酸ナトリウム水溶液の量を導き出して検体を作るといった従来の方法と同等の検査結果を得ながらも、これより簡単かつ迅速にできるようにする検査方法を提供することにある。【００１３】
また、本発明の他の目的は、ＡＰＴＴの再検査にあたっての採血を不要にし、これにより患者に与える精神的、肉体的負担が軽減できるようにする検査方法を提供することにある。【００１４】
更に、本発明の他の目的は、ＡＰＴＴの再検査も含めて、予め所定量のクエン酸ナトリウム水溶液が入れてある真空採血管を使うことができるようにする検査方法を提供することにある。
【課題を解決するための手段】
【００１５】
上記目的を達成するために本発明が講じた手段は次のとおりである。
活性化部分トロンボプラスチン時間を計測すべく検体に対して０．０２０ｍｏｌ／Ｌのカルシウムイオン供与体を含む水溶液を添加し、そのときの凝固時間が基準値を超えて異常値を示した検体、特に高ヘマトクリット血症検体について行い、内因系の血液凝固異常があるかどうかを診断するための検査方法において、予めクエン酸ナトリウム水溶液が内部に入れてある真空採血管を用いて、クエン酸ナトリウム水溶液と血液が１：９の割合となるよう採血したもので血漿成分を含む検体を作り、当該検体に対して０．０３０ｍｏｌ／Ｌ以上〜０．０４０ｍｏｌ／Ｌ以下のカルシウムイオン供与体を含む水溶液を添加して凝固時間を測定することを特徴とする、活性化部分トロンボプラスチン時間の検査方法である。
【発明の効果】
【００１６】
本発明は上記構成を備え、次の効果を有する。
（ａ）本発明によるＡＰＴＴの検査方法によれば、クエン酸ナトリウム水溶液が内部に入れてある真空採血管を使用して、クエン酸ナトリウム水溶液と血液が１：９の割合で混合されるようにして作った検体を再検査の検体としても使うことができる。従って、従来行っていたようなクエン酸ナトリウム水溶液の量を患者の血液の状態に合わせて計算し、その量をピペットを使って調整することで再検査用の検体を作るといった作業をなくすことができ、検査の簡単化及び迅速化を図ることができる。【００１７】
（ｂ）本発明によるＡＰＴＴの検査方法によれば、クエン酸ナトリウム水溶液の量を調整した検体を作る必要がないので、再検査にあたっても検体を作るための採血を不要にすることができる。これにより患者に与える精神的、肉体的負担を軽減することができる。【００１８】
（ｃ）本発明によるＡＰＴＴの検査方法によれば、ＡＰＴＴの再検査も含めて、真空採血管を使うことができるので、取り扱い易く、また、衛生面の点においても好ましい。
【図面の簡単な説明】
【００１９】
【図１】０．０２０ｍｏｌ／Ｌの塩化カルシウムを含む水溶液を添加したときの凝固時間を示す説明図。
【図２】０．０３０ｍｏｌ／Ｌ、０．０３５ｍｏｌ／Ｌ、０．０４０ｍｏｌ／Ｌの塩化カルシウムを含む水溶液を添加したときの凝固時間を示す説明図。
【発明を実施するための最良の形態】
【００２０】
カルシウムイオン供与体は、血液凝固反応に必要なカルシウムイオンの供給源であり、例えば、塩化カルシウム、臭化カルシウム、ヨウ化カルシウム等のハロゲン化カルシウム、硫酸カルシウム、硝酸カルシウム、重炭酸カルシウム等の無機酸カルシウム塩、蟻酸、酢酸、プロピオン酸、乳酸、グルコン酸、グリセロリン酸等の有機酸のカルシウム塩等が使用できる。なかでも、塩化カルシウムが好ましい。【００２１】
また、血漿成分に加えるＡＰＴＴ試薬は、リン脂質の混合物でセファリンといわれるものであり、例えば、ウサギ脳、牛脳、ダイズ等からの抽出物を含むものが使用できる。
【実施例】
【００２２】
実施例を挙げて本発明を更に詳細に説明する。しかし、本発明は実施例に限定されるものではない。なお、凝固時間（ＡＰＴＴ値）の測定は凝固反応検出方式にて行う。【００２３】
比較例１、２、３及び実施例１、２においてＡＰＴＴ値の測定には、ＡＰＴＴ測定機器（シスメックス社製：ＣＡ７０００）を使用した。【００２４】
真空採血管（テルモ社製：ＶＰ−ＣＷ０５２  全量２ｍL用）は、予め２００μＬのクエン酸ナトリウム水溶液が内部に入れてあるものを使用した。【００２５】
検体に入れるＡＰＴＴ試薬（ＤＡＤＥ  ＢＥＨＲＩＮＧ社製：データファイ・ＡＰＴＴ（アクチン）ウサギ脳由来セファリン）は、略３７℃になるよう加温したものを５０μＬ添加した。【００２６】
比較例１、２、３及び実施例１、２においてカルシウムイオン供与体は塩化カルシウムを使用した。塩化カルシウムを含む水溶液は、略３７℃になるよう加温して、各検体に対しそれぞれ５０μＬずつ添加した。【００２７】
実際のＡＰＴＴ検査では、クエン酸ナトリウム水溶液と血液が１：９の割合で混合されたものから作られた検体が使用される。しかし、高ヘマトクリット血症を煩った患者の血液は、入手が非常に困難である。そこで以下に示す比較例１及び実施例１では、血液に対するクエン酸ナトリウム水溶液の割合を意図的に多くすることで、擬似的に高ヘマトクリット状態となるように作り出した検体を使用している。
比較例２，３及び実施例２で使用した検体は、高ヘマトクリット血症の患者の血液から作られている。【００２８】
比較例１及び実施例１で使用した検体について具体的に説明する。
(1)クエン酸ナトリウム水溶液が内部に入れてある真空採血管を使用して、健常者から血液を採血する。【００２９】
(2)試験管を１０本用意し、濃度３．１３％に調整されたクエン酸ナトリウム水溶液をそれぞれの試験管に１５μＬ、３０μＬ、４５μＬ、６０μＬ、７５μＬ、９０μＬ、１０５μＬ、１２０μＬ、１３５μＬ、１５０μＬずつ入れておく。【００３０】
(3)上記の各試験管に、(1)で採血した血液をそれぞれ均等に１５００μＬずつ入れて混ぜ合わせる。【００３１】
(4)各試験管を遠心分離器にかけて血漿成分を含む検体を得る。各検体は別途用意した試験管にそれぞれ５０μＬずつ入れておき、略３７℃になるよう加温する。【００３２】
(5)各検体にＡＰＴＴ試薬を加える。【００３３】
こうしてクエン酸ナトリウムと血液の比率が段階的に異なる、すなわちヘマトクリット値が段階的に異なる１０種類の検体を作る。なお、比較例１と実施例１を合わせて、カルシウムイオン供与体を含む水溶液として、濃度の異なる４種類のものを使用するので、上記検体も４セット用意しておく。【００３４】
いうまでもなくクエン酸ナトリウム水溶液を多く入れた検体の方が、ヘマトクリット値の高い状態に対応することになる。各検体は、クエン酸ナトリウム水溶液の量の少ない方から”検体１”とし、順次番号を増やして最もクエン酸ナトリウム水溶液の量の多い検体を”検体１０”として識別する。【００３５】
［比較例１］
比較例１では、上記の各検体（検体１〜検体１０）に、従前通りの０．０２０ｍｏｌ／Ｌの塩化カルシウムを含む水溶液を添加して凝固時間（ＡＰＴＴ値）を測定した。【００３６】
図１の横軸は、左側から右側にかけて検体１から検体１０までを示しており、縦軸はＡＰＴＴ値（凝固時間）を示している。【００３７】
−測定結果−
結果は図１に示すものとなった。０．０２０ｍｏｌ／Ｌの塩化カルシウムを含む水溶液を添加した場合のＡＰＴＴ値は、検体１で３２．１４秒、検体２で３４．０８秒、検体３で３６．８５秒、検体４で４０．５８秒、検体５で４５．２３秒、検体６ないし検体１０はそれ以上の値を示した。【００３８】
比較例１で示す検体のうちＡＰＴＴ値の基準値（２３．９秒〜４１．２秒）内に収まったのは検体４までであり、検体５ないし検体１０は異常値を示した。つまり、０．０２０ｍｏｌ／Ｌの塩化カルシウムを含む水溶液を添加する場合では、クエン酸ナトリウム水溶液の量が多くなる（ヘマトクリット値が高くなる）につれて異常値を示す。【００３９】
［実施例１］
上記の各検体（検体１〜検体１０）に、それぞれ０．０３０ｍｏｌ／Ｌ、０．０３５ｍｏｌ／Ｌ、０．０４０ｍｏｌ／Ｌの塩化カルシウムを含む水溶液を添加して凝固時間（ＡＰＴＴ値）を測定した。【００４０】
図２の横軸は、左側から右側にかけて検体１から検体１０までを示しており、縦軸はＡＰＴＴ値（凝固時間）を示している。【００４１】
−測定結果−
結果は図２に示すものとなった。
０．０３０ｍｏｌ／Ｌの塩化カルシウムを含む水溶液を添加した場合のＡＰＴＴ値は、検体１で２７．７７秒、検体２で２７．７７秒、検体３で２７．９８秒、検体４で２８．２９秒、検体５で２８．６５秒、検体６で２９．１９秒、検体７で２９．８４秒、検体８で３０．５６秒、検体９で３１．５８秒、クエン酸ナトリウム水溶液の量の最も多い（最もヘマトクリット値の高い）検体１０であっても３２．７４秒の値を示した。【００４２】
０．０３５ｍｏｌ／Ｌの塩化カルシウムを含む水溶液を添加した場合のＡＰＴＴ値は、検体１で２９．９３秒、検体２で２９．５９秒、検体３で２９．５０秒、検体４で２９．４３秒、検体５で２９．５３秒、検体６で２９．７６秒、検体７で２９．９４秒、検体８で３０．１８秒、検体９で３０．６３秒、クエン酸ナトリウム水溶液の量の最も多い（最もヘマトクリット値の高い）検体１０であっても３１．０７秒の値を示した。【００４３】
０．０４０ｍｏｌ／Ｌの塩化カルシウムを含む水溶液を添加した場合のＡＰＴＴ値は、検体１で３１．２２秒、検体２で３０．６９秒、検体３で３０．３２秒、検体４で３０．６０秒、検体５で３０．６６秒、検体６で３０．６０秒、検体７で３０．６３秒、検体８で３０．６５秒、検体９で３０．９４秒、クエン酸ナトリウム水溶液の量の最も多い（最もヘマトクリット値の高い）検体１０であっても３１．０７秒の値を示した。【００４４】
このように０．０３０ｍｏｌ／Ｌ、０．０３５ｍｏｌ／Ｌ、０．０４０ｍｏｌ／Ｌの塩化カルシウムを含む水溶液を添加した場合では、全ての検体（検体１〜検体１０）について正常値（２３．９秒〜４１．２秒）内に収まった。
つまり、０．０３０ｍｏｌ／Ｌ、０．０３５ｍｏｌ／Ｌ、０．０４０ｍｏｌ／Ｌの塩化カルシウムを含む水溶液を添加した場合では、ヘマトクリット値が高くなるよう作られた検体でも、ＡＰＴＴ値が異常値を示さないよう適正な補正が行われていると言える結果が出た。この結果からは高ヘマトクリット状態の検体であっても本来異常のないものは、内因系凝固因子異常の疑いがあると診断されない。【００４５】
なお、データとしては挙げていないが、各検体（検体１〜検体１０）に、０．０４０ｍｏｌ／Ｌを超える塩化カルシウムを含む水溶液を添加した場合では、ＡＰＴＴ値が異常値を示す傾向が見られた。つまり、０．０４０ｍｏｌ／Ｌを超える塩化カルシウムを含む水溶液を添加した場合では、ヘマトクリット値が高い検体についてはＡＰＴＴ値の適正な補正をすることができなかった。【００４６】
次に、比較例２、３及び実施例２について説明する。
比較例２、３及び実施例２では、高ヘマトクリット血症の同じ患者の血液から作った検体を使用した。【００４７】
まず、比較例２で使用した検体について具体的に説明する。
(1)クエン酸ナトリウム水溶液が内部に入れてある真空採血管を使用して、クエン酸ナトリウム水溶液と血液が１：９の割合で混合されるよう採血する。【００４８】
(2)クエン酸ナトリウム水溶液と混合された血液を遠心分離器にかけて血漿成分を含む検体を得る。検体は別途用意した試験管に５０μＬ入れて、略３７℃になるよう加温する。【００４９】
(3)検体にＡＰＴＴ試薬を加える。
こうして高ヘマトクリット状態の検体を作る。【００５０】
［比較例２］
上記検体に従前通りの０．０２０ｍｏｌ／Ｌの塩化カルシウムを含む水溶液を添加して凝固時間（ＡＰＴＴ値）を測定した。【００５１】
−測定結果−
０．０２０ｍｏｌ／Ｌの塩化カルシウムを含む水溶液を添加した場合のＡＰＴＴ値は、４９．２秒と異常値を示した。【００５２】
次に、比較例３で使用した検体について具体的に説明する。
比較例３で使用した検体は、患者の血液の状態に合わせてクエン酸ナトリウム水溶液の量が調整されたものである（例えば、ＮＣＣＬＳの標準法）。【００５３】
(1)採血により血液のヘマトクリット値を測定して、計算により導き出した量のクエン酸ナトリウム水溶液をピペットで採血管に入れ、この採血管内に新たに採血した規定量の血液を入れて混ぜ合わせる。【００５４】
(2)クエン酸ナトリウム水溶液と混合された血液を遠心分離器にかけて血漿成分を含む検体を得る。検体は別途用意した試験管に５０μＬ入れて、略３７℃になるよう加温する。【００５５】
(3)検体にＡＰＴＴ試薬を加える。
こうして高ヘマトクリット状態が是正された検体を作る。【００５６】
［比較例３］
上記検体に従前通りの０．０２０ｍｏｌ／Ｌの塩化カルシウムを含む水溶液を添加して凝固時間（ＡＰＴＴ値）を測定した。【００５７】
−測定結果−
０．０２０ｍｏｌ／Ｌの塩化カルシウムを含む水溶液を添加した場合のＡＰＴＴ値は、３３．６秒で正常値を示した。
この場合では、クエン酸ナトリウム水溶液の量を調整することで、適正な補正が行われているという結果が出た。この結果からは高ヘマトクリット状態の検体であっても本来異常のないものは、内因系凝固因子異常の疑いがあると診断されない。【００５８】
実施例２では、比較例２で使用した検体と同じ高ヘマトクリット状態の検体を使用した。【００５９】
［実施例２］
上記検体に、０．０３５ｍｏｌ／Ｌの塩化カルシウムを含む水溶液を添加して凝固時間（ＡＰＴＴ値）を測定した。【００６０】
−測定結果−
０．０３５ｍｏｌ／Ｌの塩化カルシウムを含む水溶液を添加した場合のＡＰＴＴ値は３５．６秒と正常値を示し、従来の方法で実施した比較例３の検査結果と略同等の検査結果が得られた。
このように高ヘマトクリット状態の検体でも、０．０３５ｍｏｌ／Ｌの塩化カルシウムを含む水溶液を添加することにより、ＡＰＴＴ値が異常値を示さないよう適正な補正が行われていると言える結果が出た。つまり、この場合も高ヘマトクリット状態の検体であっても本来異常のないものは、内因系凝固因子異常の疑いがあるとは診断されない。【００６１】
このように検体に対して０．０３０ｍｏｌ／Ｌ以上〜０．０４０ｍｏｌ／Ｌ以下の塩化カルシウム（カルシウムイオン供与体）を含む水溶液を添加して行うＡＰＴＴの検査方法によれば、クエン酸ナトリウム水溶液が内部に入れてある真空採血管を使用して、クエン酸ナトリウム水溶液と血液が１：９の割合で混合されるようにして作った検体を再検査の検体としても使うことができる。従って、従来行っていたようなクエン酸ナトリウム水溶液の量を患者の血液のヘマトクリット値に合わせて計算し、その量をピペットを使って調整することで再検査用の検体を作るといった作業をなくすことができ、検査の簡単化及び迅速化を図ることができる。【００６２】
上記したように本発明による検査方法によれば、クエン酸ナトリウム水溶液の量を調整した検体を作る必要がないので、再検査にあたっても検体を作るための採血を不要にすることができる。これにより患者に与える精神的、肉体的負担を軽減することができる。【００６３】
本発明による検査方法によれば、ＡＰＴＴの再検査も含めて、真空採血管を使うことができるので、取り扱い易く、また、衛生面の点においても好ましい。【００６４】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【産業上の利用可能性】
【００６５】
（ａ）本発明によるＡＰＴＴの検査方法によれば、クエン酸ナトリウム水溶液が内部に入れてある真空採血管を使用して、クエン酸ナトリウム水溶液と血液が１：９の割合で混合されるようにして作った検体を再検査の検体としても使うことができる。従って、従来行っていたようなクエン酸ナトリウム水溶液の量を患者の血液の状態に合わせて計算し、その量をピペットを使って調整することで再検査用の検体を作るといった作業をなくすことができ、検査の簡単化及び迅速化を図ることができる。【００６６】
（ｂ）本発明によるＡＰＴＴの検査方法によれば、クエン酸ナトリウム水溶液の量を調整した検体を作る必要がないので、再検査にあたっても検体を作るための採血を不要にすることができる。これにより患者に与える精神的、肉体的負担を軽減することができる。【００６７】
（ｃ）本発明によるＡＰＴＴの検査方法によれば、ＡＰＴＴの再検査も含めて、真空採血管を使うことができるので、取り扱い易く、また、衛生面の点においても好ましい。
【図１】
2006129703.tif 000002
【図２】
2006129703.tif 000003
【国際調査報告】
2006129703.tif 000004
2006129703.tif 000005
2006129703.tif 000006
2006129703.tif 000007